【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
イメージ情報を入力する入力手段と、
前記イメージ情報をベクトル化するベクトル化手段と、
前記イメージ情報に含まれる第１のオブジェクトのベクトルデータを格納する第１の格納手段と、
前記イメージ情報に含まれる第２のオブジェクトと前記第１のオブジェクトの同一性を判定する判定手段と、
前記判定手段による判定の結果、前記第１及び第２のオブジェクトに同一性がある場合、該第２のオブジェクトのベクトルデータに代えて、前記第１のオブジェクトのベクトルデータへの参照情報を格納する第２の格納手段と、
を備えることを特徴とする画像処理システム。
【請求項２】
前記判定手段が、前記第１の格納手段に格納された前記第１のオブジェクトのベクトルデータから再現されたオブジェクトと、前記第２のオブジェクトとの比較結果に基づいて、前記第１及び第２のオブジェクトの同一性を判定することを特徴とする請求項１に記載の画像処理システム。
【請求項３】
前記判定手段が、前記再現されたオブジェクトと前記第２のオブジェクトとの比較結果に基づいて、両者の差分成分が所定範囲内にあるか否かを判定することを特徴とする請求項２に記載の画像処理システム。
【請求項４】
前記判定手段が、前記第１の格納手段に格納された前記第１のオブジェクトのベクトルデータと、前記第２のオブジェクトのベクトルデータとの比較結果に基づいて、前記第１及び第２のオブジェクトの同一性を判定することを特徴とする請求項１に記載の画像処理システム。
【請求項５】
前記判定手段が、前記第１のオブジェクトのベクトルデータと前記第２のオブジェクトのベクトルデータとの比較結果に基づいて、両者の差分成分が所定範囲内にあるか否かを判定することを特徴とする請求項４に記載の画像処理システム。
【請求項６】
前記第２のオブジェクトを画面上に表示する表示手段と、
前記画面上からの操作者の指示を受け付ける受付手段と、
をさらに備えることを特徴とする請求項１乃至５の何れか一項に記載の画像処理システム。
【請求項７】
前記表示手段が、一オブジェクト化単位である前記第２のオブジェクトを矩形図形で取り囲んで前記画面上に表示することを特徴とする請求項６に記載の画像処理システム。
【請求項８】
前記表示手段によって前記画面上に矩形表示された前記第２のオブジェクトを他のオブジェクトから参照されるべき代表オブジェクトとして新たに登録する登録手段をさらに備えることを特徴とする請求項７に記載の画像処理システム。
【請求項９】
前記判定手段が、前記ベクトル化手段によって前記イメージ情報がベクトルデータ化される過程で、前記第２のオブジェクトと前記第１のオブジェクトの同一性を判定することを特徴とする請求項１に記載の画像処理システム。
【請求項１０】
ベクトル化されたイメージ情報をオブジェクト化単位がわかるように画面表示する表示手段と、
前記表示手段によって画面表示された複数のオブジェクトの何れかを、他のオブジェクトから参照されるべき代表オブジェクトとして指定する指定手段と、
をさらに備えることを特徴とする請求項１に記載の画像処理システム。
【請求項１１】
前記第２の格納手段に格納された前記第１のオブジェクトのベクトルデータへの参照情報を変更する変更手段をさらに備えることを特徴とする請求項１に記載の画像処理システム。
【請求項１２】
前記変更手段が、前記第１のオブジェクトへの参照を解除した場合、前記第２の格納手段が、前記第２のオブジェクトのベクトルデータを格納することを特徴とする請求項１１に記載の画像処理システム。
【請求項１３】
同一性を有する複数のオブジェクトを有するイメージ情報について、代表となる第１のオブジェクトのベクトルデータを格納する第１の格納手段と、
前記第１のオブジェクトとの間で同一性を有する第２のオブジェクトのデータとして、前記第１のオブジェクトへの参照情報を格納する第２の格納手段と、
前記イメージ情報を再構成する際に、前記第１の格納手段に格納された前記ベクトルデータから前記第１のオブジェクトを再構成する第１の再構成手段と、
前記イメージ情報を再構成する際に、前記第２の格納手段に格納された前記参照情報から前記第１のオブジェクトを参照し、該第１のオブジェクトのベクトルデータを用いて、前記第２のオブジェクトを再構成する第２の再構成手段と、
を備えることを特徴とする画像処理システム。
【請求項１４】
前記第２の再構成手段が、参照先である前記第１のオブジェクトのベクトルデータから前記第２のオブジェクトを再構成できない場合、代替オブジェクトのベクトルデータを使用して、該第２のオブジェクトを再構成することを特徴とする請求項１３に記載の画像処理システム。
【請求項１５】
他のオブジェクトから参照されているオブジェクトについて、当該他のオブジェクトからの参照を解除する解除手段と、
前記解除手段による参照の解除に際して、警告メッセージを提示する提示手段と、
をさらに備えることを特徴とする請求項１３に記載の画像処理システム。
【請求項１６】
他のオブジェクトから参照されているオブジェクトについて、当該他のオブジェクトからの参照の解除を禁止する禁止手段をさらに備えることを特徴とする請求項１３に記載の画像処理システム。
【請求項１７】
イメージ情報を入力する入力工程と、
前記イメージ情報をベクトル化するベクトル化工程と、
前記イメージ情報に含まれる第１のオブジェクトのベクトルデータを記憶装置に記憶する第１の記憶工程と、
前記イメージ情報に含まれる第２のオブジェクトと前記第１のオブジェクトの同一性を判定する判定工程と、
前記判定工程における判定の結果、前記第１及び第２のオブジェクトに同一性がある場合、該第２のオブジェクトのベクトルデータに代えて、前記第１のオブジェクトのベクトルデータへの参照情報を記憶装置に記憶する第２の記憶工程と、
を有することを特徴とする画像処理方法。
【請求項１８】
同一性を有する複数のオブジェクトを有するイメージ情報について、代表となる第１のオブジェクトのベクトルデータを格納する第１の格納手段と、前記第１のオブジェクトとの間で同一性を有する第２のオブジェクトのデータとして、前記第１のオブジェクトへの参照情報を格納する第２の格納手段とを備える画像処理システムにおける画像処理方法であって、
前記イメージ情報を再構成する際に、前記第１の格納手段に格納された前記ベクトルデータから前記第１のオブジェクトを再構成する第１の再構成工程と、
前記イメージ情報を再構成する際に、前記第２の格納手段に格納された前記参照情報から前記第１のオブジェクトを参照し、該第１のオブジェクトのベクトルデータを用いて、前記第２のオブジェクトを再構成する第２の再構成工程と、
を有することを特徴とする画像処理方法。
【請求項１９】
コンピュータに、
イメージ情報を入力する入力手順と、
前記イメージ情報をベクトル化するベクトル化手順と、
前記イメージ情報に含まれる第１のオブジェクトのベクトルデータを記憶装置に記憶する第１の記憶手順と、
前記イメージ情報に含まれる第２のオブジェクトと前記第１のオブジェクトの同一性を判定する判定手順と、
前記判定手順における判定の結果、前記第１及び第２のオブジェクトに同一性がある場合、該第２のオブジェクトのベクトルデータに代えて、前記第１のオブジェクトのベクトルデータへの参照情報を記憶装置に記憶する第２の記憶手順と、
を実行させるためのプログラム。
【請求項２０】
同一性を有する複数のオブジェクトを有するイメージ情報について、代表となる第１のオブジェクトのベクトルデータを格納する第１の格納手段と、前記第１のオブジェクトとの間で同一性を有する第２のオブジェクトのデータとして、前記第１のオブジェクトへの参照情報を格納する第２の格納手段とを備えるコンピュータに、
前記イメージ情報を再構成する際に、前記第１の格納手段に格納された前記ベクトルデータから前記第１のオブジェクトを再構成する第１の再構成手順と、
前記イメージ情報を再構成する際に、前記第２の格納手段に格納された前記参照情報から前記第１のオブジェクトを参照し、該第１のオブジェクトのベクトルデータを用いて、前記第２のオブジェクトを再構成する第２の再構成手順と、
を実行させるためのプログラム。
【請求項２１】
請求項１９または２０に記載のプログラムを格納したことを特徴とするコンピュータ読み取り可能な記憶媒体。
【手続補正２】
【補正対象書類名】明細書
【補正対象項目名】０００６
【補正方法】変更
【補正の内容】
【０００６】
上記課題を解決するために、本発明に係る画像処理システムは、イメージ情報を入力する入力手段と、前記イメージ情報をベクトル化するベクトル化手段と、前記イメージ情報に含まれる第１のオブジェクトのベクトルデータを格納する第１の格納手段と、前記イメージ情報に含まれる第２のオブジェクトと前記第１のオブジェクトの同一性を判定する判定手段と、前記判定手段による判定の結果、前記第１及び第２のオブジェクトに同一性がある場合、該第２のオブジェクトのベクトルデータに代えて、前記第１のオブジェクトのベクトルデータへの参照情報を格納する第２の格納手段と、を備えることを特徴とする。
【手続補正３】
【補正対象書類名】明細書
【補正対象項目名】０００７
【補正方法】変更
【補正の内容】
【０００７】
または、本発明に係る画像処理システムは、同一性を有する複数のオブジェクトを有するイメージ情報について、代表となる第１のオブジェクトのベクトルデータを格納する第１の格納手段と、前記第１のオブジェクトとの間で同一性を有する第２のオブジェクトのデータとして、前記第１のオブジェクトへの参照情報を格納する第２の格納手段と、前記イメージ情報を再構成する際に、前記第１の格納手段に格納された前記ベクトルデータから前記第１のオブジェクトを再構成する第１の再構成手段と、前記イメージ情報を再構成する際に、前記第２の格納手段に格納された前記参照情報から前記第１のオブジェクトを参照し、該第１のオブジェクトのベクトルデータを用いて、前記第２のオブジェクトを再構成する第２の再構成手段と、を備えることを特徴とする。
【手続補正４】
【補正対象書類名】明細書
【補正対象項目名】０００８
【補正方法】変更
【補正の内容】
【０００８】
上記課題を解決するために、本発明に係る画像処理方法は、イメージ情報を入力する入力工程と、前記イメージ情報をベクトル化するベクトル化工程と、前記イメージ情報に含まれる第１のオブジェクトのベクトルデータを記憶装置に記憶する第１の記憶工程と、前記イメージ情報に含まれる第２のオブジェクトと前記第１のオブジェクトの同一性を判定する判定工程と、前記判定工程における判定の結果、前記第１及び第２のオブジェクトに同一性がある場合、該第２のオブジェクトのベクトルデータに代えて、前記第１のオブジェクトのベクトルデータへの参照情報を記憶装置に記憶する第２の記憶工程と、を有することを特徴とする。
【手続補正５】
【補正対象書類名】明細書
【補正対象項目名】０００９
【補正方法】変更
【補正の内容】
【０００９】
または、本発明に係る画像処理方法は、同一性を有する複数のオブジェクトを有するイメージ情報について、代表となる第１のオブジェクトのベクトルデータを格納する第１の格納手段と、前記第１のオブジェクトとの間で同一性を有する第２のオブジェクトのデータとして、前記第１のオブジェクトへの参照情報を格納する第２の格納手段とを備える画像処理システムにおける画像処理方法であって、前記イメージ情報を再構成する際に、前記第１の格納手段に格納された前記ベクトルデータから前記第１のオブジェクトを再構成する第１の再構成工程と、前記イメージ情報を再構成する際に、前記第２の格納手段に格納された前記参照情報から前記第１のオブジェクトを参照し、該第１のオブジェクトのベクトルデータを用いて、前記第２のオブジェクトを再構成する第２の再構成工程と、を有することを特徴とする。
【手続補正６】
【補正対象書類名】明細書
【補正対象項目名】００１０
【補正方法】変更
【補正の内容】
【００１０】
上記課題を解決するために、本発明に係るプログラムは、コンピュータに、イメージ情報を入力する入力手順と、前記イメージ情報をベクトル化するベクトル化手順と、前記イメージ情報に含まれる第１のオブジェクトのベクトルデータを記憶装置に記憶する第１の記憶手順と、前記イメージ情報に含まれる第２のオブジェクトと前記第１のオブジェクトの同一性を判定する判定手順と、前記判定手順における判定の結果、前記第１及び第２のオブジェクトに同一性がある場合、該第２のオブジェクトのベクトルデータに代えて、前記第１のオブジェクトのベクトルデータへの参照情報を記憶装置に記憶する第２の記憶手順と、を実行させる。
【手続補正７】
【補正対象書類名】明細書
【補正対象項目名】００１１
【補正方法】変更
【補正の内容】
【００１１】
または、本発明に係るプログラムは、同一性を有する複数のオブジェクトを有するイメージ情報について、代表となる第１のオブジェクトのベクトルデータを格納する第１の格納手段と、前記第１のオブジェクトとの間で同一性を有する第２のオブジェクトのデータとして、前記第１のオブジェクトへの参照情報を格納する第２の格納手段とを備えるコンピュータに、前記イメージ情報を再構成する際に、前記第１の格納手段に格納された前記ベクトルデータから前記第１のオブジェクトを再構成する第１の再構成手順と、前記イメージ情報を再構成する際に、前記第２の格納手段に格納された前記参照情報から前記第１のオブジェクトを参照し、該第１のオブジェクトのベクトルデータを用いて、前記第２のオブジェクトを再構成する第２の再構成手順と、を実行させる。
【手続補正８】
【補正対象書類名】明細書
【補正対象項目名】００２６
【補正方法】変更
【補正の内容】
【００２６】
次いで、ステップＳ１２０３でポインタ情報が検出されたか否かを判定する（ステップＳ１２０４）。その結果、ポインタ情報が検出された場合（Ｙｅｓ）はステップＳ１２０５に分岐し、検出されたポインタ情報で示されたアドレスから元の電子ファイルが格納されているか否かを検索する。